(57)【要約】【課題】本発明は、外装蓋が完全に開いていない状態において記録媒体が挿入されたとしても、記録媒体が円滑に且つ確実に装着される記録再生装置を提供することを目的とする。【解決手段】本発明の記録再生装置は、装着された記録媒体を保持する保持手段に磁気ヘッドの位置を制御する高さ位置制御手段と接触可能な弾性体を設け、かつ開閉する蓋部の内側に規制手段を形成して、蓋部が少しでも開いているとき、弾性体により磁気ヘッドの位置が規制され、蓋部が閉じているとき、規制手段が弾性体と当接して弾性体による磁気ヘッドの位置規制を解除するよう構成されている。【選択図】図１
2006040327.tif 000002
【特許請求の範囲】
【請求項１】
記録媒体の脱着時に開閉する蓋部、
記録媒体が挿入されて装着される保持手段、
前記保持手段に設けられ、装着された記録媒体に対して離接方向に移動可能に構成された磁気ヘッド、
前記磁気ヘッドの離接方向の位置を制御する高さ位置制御手段、
前記高さ位置制御手段を第１の方向へ押圧して前記磁気ヘッドを前記記録媒体に接触するよう構成した第１の弾性体、
前記高さ位置制御手段を前記第１の方向と異なる方向へ前記第１の弾性体より大きな力で押圧して、前記磁気ヘッドを前記記録媒体から離間させて前記記録媒体の挿入経路領域外に配置するよう構成した第２の弾性体、及び
前記蓋部に形成され、前記蓋部が閉じた状態において前記第２の弾性体と前記高さ位置制御手段との接触状態を解除する規制手段、
を具備することを特徴とする記録再生装置。
【請求項２】
規制手段が蓋部の内側に形成した凸部で構成され、前記凸部の先端が第２の弾性体を前記蓋部が閉じた状態において押圧するよう構成された請求項１に記載の記録再生装置。
【請求項３】
保持手段が弾性を有する金属で形成されたホルダーで構成され、第１の弾性体及び第２の弾性体が前記ホルダーの一部を変形して形成した請求項１に記載の記録再生装置。
【請求項４】
第１の弾性体又は第２の弾性体の少なくとも一方をホルダーと別体で形成した請求項３に記載の記録再生装置。
【請求項５】
記録媒体を挿入できる位置まで蓋部を開いたとき、第２の弾性体により高さ位置制御手段を押し上げて磁気ヘッドを挿入経路領域外の第１の位置に配置し、
前記記録媒体が装着された記録動作のとき、前記第２の弾性体による前記高さ位置制御手段の動作を規制して、前記磁気ヘッドを記録位置である第２の位置に配置するよう構成された請求項１に記載の記録再生装置。
【請求項６】
記録媒体が装着された再生動作のとき、第２の弾性体による高さ位置制御手段の動作を規制するとともに、前記第１の弾性体の磁気ヘッドへの押圧動作に対抗する手段を有して、前記磁気ヘッドを第３の位置に配置するよう構成された請求項５に記載の記録再生装置。
【発明の詳細な説明】
【技術分野】
【０００１】
本発明は、簡単な構成により小型化を実現することができる携帯型の記録再生装置に関するものである。
【背景技術】
【０００２】
従来の携帯型の記録再生装置において、装着された記録媒体を保持するホルダーの移動に対して磁気ヘッドを回避動作させて小型化を図る装置が特許文献１に記載されている。
【０００３】
従来の携帯型の記録再生装置についてミニディスクポータブルプレーヤを例に取り説明する。図１２は従来のミニディスクポータブルプレーヤの構成を示す分解斜視図であり、図１３は主要な構成部品であるホルダーとシャーシを組み合わせた状態を示す斜視図である。図１４から図１７は、従来のミニディスクポータブルプレーヤへの記録媒体であるミニディスク（以下、ＭＤと略称）の挿脱動作を説明する断面図である。
【０００４】
図１２において、音楽情報等が記録され得るディスク２はミニディスクケース（以下、ＭＤケースと略称）内に収納されており、ＭＤケースにはシャッター１ａが設けられている。ミニディスクポータブルプレーヤに挿入されたＭＤ１はホルダー１００により保持される。ホルダー１００の側面部には、ＭＤ１のシャッター１ａを開く機能を有するイジェクトロッド１１７が設けられている。ホルダー１００の下部にはシャーシ１０１が配設されている。シャーシ１０１にはＭＤケース内のディスク２を回転させるスピンドルモータ１０２と、回転したディスク２から情報を読み取るレンズ１０３ａを有する光ピックアップ１０３と、光ピックアップ１０３をディスクのトラック方向に移動させる駆動機構１０４とを備えている。光ピックアップ１０３の後部（ＭＤ１の挿入方向における後方側）には、ディスク２に情報を記録するための磁気ヘッド１０６が配置されている。磁気ヘッド１０６は、その先端部にディスク２の表面に接触して記録するヘッド部１０６ａと、ヘッド部１０６ａをディスク２に適正な圧力をかけて安定させる弾性体により形成されたサスペンション１０６ｂとを有している。
ホルダー１００に設けられた磁気ヘッド昇降駆動機構１０８は、磁気ヘッド１０６を昇降駆動するよう構成されている。
【０００５】
図１３に示すように、磁気ヘッド１０６のサスペンション１０６ｂの下側にはリフタ１１１が設けられている。リフタ１１１の両端はホルダー１００に形成された支軸部１００ｂにより回動可能な状態で支持されている。また、リフタ１１１はホルダー１００の板バネ部１００ｃにより図１３の下方向へ押圧されている。
【０００６】
シャーシ１０１の下部には回路基板１１２がシャーシ１０１に固定されており、シャーシ１０１及び回路基板１１２は、底ケース１１４により覆われている。底ケース１１４の前面部分にはオープン釦１１５が設けられている。オープン釦１１５は、底ケース１１４とともに筐体を構成する外装蓋１１９に対して開動作を行う機能を有する。また、シャーシ１０１の側面部分にはリンクフレーム１１６が配設されている。リンクフレーム１１６の孔１１６ａとリンク１１８の軸１１８ａとが係合しており、孔１１６ａを中心にリンク１１８が回動可能な状態で保持されている。外装蓋１１９と底ケース１１４が閉じた状態において、外装蓋１１９の内部に配置されるホルダー１００の側面部分に対向して、操作基板アングル１２０が外装蓋１１９に固定されており、その操作基板アングル１２０の側面にはスライダー１２１が保持されている。また、スライダー１２１の孔１２１ａは、リンク１１８の軸１１８ｂと係合しこの孔１２１ａを中心にリンク１１８が回動可能な状態で保持されている。
【０００７】
以上のように構成された従来の記録再生装置の動作を図１４乃至１７を用いて以下説明する。図１４と図１５は、外装蓋１１９が完全に開いたときの状態を示す断面図であり、同じ状態を示している。図１４と図１５において、主要な部品の動作を説明するため一部の部品は省略している。
【０００８】
図１４に示すように、外装蓋１１９と操作基板アングル１２０とは、シャーシ１０１を収納する底ケース１１４に対して操作基板アングル１２０の孔１２０ａを中心に回動して開いた状態となる。操作基板アングル１２０の孔１２０ａは底ケース１１４に形成された軸により回動可能に軸止されている。操作基板アングル１２０に設けられているスライダー１２１は、操作基板アングル１２０のガイド孔１２０ｃに沿って矢印Ｘ方向に移動可能な状態でリンク１１８と係合している。そのため、外装蓋１１９が大きく開かれると、スライダー１２１が矢印Ｘ方向におけるディスク挿入口側の方向（図１２の左方向）に移動し、操作基板アングル１２０のガイド孔１２０ｃの端面に当接する。このように、スライダー１２１の移動が制限されているため、これ以上の外装蓋１１９の開動作は規制されている。
【０００９】
また、操作基板アングル１２０の側面のディスク挿入側端部近傍には開口１２０ｂが形成されている。この開口１２０ｂにはホルダー１００の側面に形成された凸部１００ｆが係合しているため、外装蓋１１９の開動作により、ホルダー１００は孔１００ｄを中心に回動し、開放状態となる。
【００１０】
図１５に示すように、外装蓋１１９の開動作におけるイジェクトロッド１１７の位置では、イジェクトロッド１１７のガイド部１１７ｂがリフタ１１１の下面であるガイド部１１１ｃと係合して押し上げるため、リフタ１１１はホルダー１００の支軸部１００ｂを中心に回動する。この結果、リフタ１１１の上面であるリフト面１１１ｂが磁気ヘッド１０６のサスペンション１０６ｂを持ち上げるため、磁気ヘッド１０６のヘッド部１０６ａが持ち上がり、ＭＤ１の挿入経路領域から外れる。この結果、ＭＤ１が挿入されて矢印Ｙ方向へ移動しても、そのＭＤ１はヘッド部１０６ａと接触することがない。
【特許文献１】特開２００２−３４３０４４号公報
【発明の開示】
【発明が解決しようとする課題】
【００１１】
上記のように構成された従来の記録再生装置においては、外装蓋１１９が完全に開いた状態において磁気ヘッド１０６が持ち上がり挿入されるＭＤ１と磁気ヘッド１０６が接触しないよう構成されている。しかしながら、外装蓋１１９の開き角度が小さいとき、すなわち外装蓋１１９が完全に開いていない状態のときには、リフタ１１１による持ち上げ動作が小さく、磁気ヘッド１０６のサスペンション１０６ｂがほとんど持ち上げられていない状態である。このために、挿入されたＭＤ１とヘッド部１０６ａが接触し、ヘッド部１０６ａが損傷するおそれがあった。
【００１２】
図１６と図１７は、外装蓋１１９がわずかに開いた状態を示す断面図であり、それぞれの図では同じ状態を示している。主要な部品の動作を説明するため、図１６と図１７においてはそれぞれ異なる部品を示し、一部の部品は省略している。
図１６に示す状態においては、操作基板アングル１２０とリンクフレーム１１６との距離が、図１４に示した状態に比べて近いため、リンク１１８の軸１１８ｂの位置は操作基板アングル１２０のガイド孔１２０ｃにおけるディスク挿入口と反対の端部近傍（図１６におけるガイド孔１２０ｃの右端近傍）となっている。このとき、リンク１１８と係合したスライダー１２１及びこのスライダー１２１と係合したイジェクトロッド１１７も、それぞれの移動範囲における右端側に移動している。
【００１３】
図１７に示す外装蓋１１９がわずかに開いた状態において、イジェクトロッド１１７のガイド部１１７ｂとリフタ１１１のガイド部１１１ｃとが係合しないため、リフタ１１１は磁気ヘッド１０６の持ち上げ動作を行わないため、ヘッド部１０６ａはＭＤ１の挿入経路領域まで下がっている。したがって、このような状態において、ＭＤ１が無理に挿入された場合には、磁気ヘッド１０６のヘッド部１０６ａと挿入されたＭＤ１が接触し、磁気ヘッド１００に損傷を与えるという問題があった。
【００１４】
本発明は、外装蓋が完全に開いていない状態において記録媒体が挿入されたとしても、記録媒体が円滑に且つ確実に装着される記録再生装置を提供することを目的とする。
【課題を解決するための手段】
【００１５】
本発明は、上記の目的を達成するために、装着された記録媒体を保持する保持手段に磁気ヘッドの位置を制御する高さ位置制御手段とこの高さ位置制御手段に接触可能な弾性体を設け、かつ開閉する蓋部の内側に規制手段を形成して、蓋部が少しでも開いているとき、弾性体により磁気ヘッドの位置が規制され、蓋部が閉じているとき、規制手段が弾性体と当接して弾性体による磁気ヘッドの位置規制を解除するよう構成されている。
【００１６】
本発明の記録再生装置は、請求項１に記載したように、記録媒体の脱着時に開閉する蓋部、
記録媒体が挿入されて装着される保持手段、
前記保持手段に設けられ、装着された記録媒体に対して離接方向に移動可能に構成された磁気ヘッド、
前記磁気ヘッドの離接方向の位置を制御する高さ位置制御手段、
前記高さ位置制御手段を第１の方向へ押圧して前記磁気ヘッドを前記記録媒体に接触するよう構成した第１の弾性体、
前記高さ位置制御手段を前記第１の方向と異なる方向へ前記第１の弾性体より大きな力で押圧して、前記磁気ヘッドを前記記録媒体から離間させて前記記録媒体の挿入経路領域外に配置するよう構成した第２の弾性体、及び
前記蓋部に形成され、前記蓋部が閉じた状態において前記第２の弾性体と前記高さ位置制御手段との接触状態を解除する規制手段を具備する。このように構成された本発明の記録再生装置においては、開閉可能な蓋部に規制手段を設け、保持手段に設けた高さ位置制御手段を蓋部開放時に弾性体により押圧することにより、蓋部が開状態であれば、その開き角度が小さい状態においても、磁気ヘッドが挿入された記録媒体の挿入経路領域外に確実に配置される。
【００１７】
本発明の記録再生装置は、請求項２に記載したように、請求項１の規制手段が蓋部の内側に形成した凸部で構成され、前記凸部の先端が第２の弾性体を前記蓋部が閉じた状態において押圧するよう構成してもよい。
【００１８】
本発明の記録再生装置は、請求項３に記載したように、請求項１の保持手段が弾性を有する金属で形成されたホルダーで構成され、第１の弾性体及び第２の弾性体が前記ホルダーの一部を変形して形成してもよい。
【００１９】
本発明の記録再生装置は、請求項４に記載したように、請求項３の第１の弾性体又は第２の弾性体の少なくとも一方をホルダーと別体で形成してもよい。
【００２０】
本発明の記録再生装置は、請求項５に記載したように、請求項１の記録媒体を挿入できる位置まで蓋部を開いたとき、第２の弾性体により高さ位置制御手段を押し上げて磁気ヘッドを挿入経路領域外の第１の位置に配置し、
前記記録媒体が装着された記録動作のとき、前記第２の弾性体による前記高さ位置制御手段の動作を規制して、前記磁気ヘッドを記録位置である第２の位置に配置するよう構成してもよい。
【００２１】
本発明の記録再生装置は、請求項６に記載したように、請求項５の記録媒体が装着された再生動作のとき、第２の弾性体による高さ位置制御手段の動作を規制するとともに、前記第１の弾性体の磁気ヘッドへの押圧動作に対抗する手段を有して、前記磁気ヘッドを第３の位置に配置するよう構成してもよい。
【発明の効果】
【００２２】
本発明の記録再生装置においては、開閉可能な蓋部に規制手段を設け、保持手段に設けた高さ位置制御手段を蓋部開放時に弾性体により押圧することにより、蓋部が開状態であれば、その開き角度が小さい状態においても、磁気ヘッドが挿入された記録媒体の挿入経路領域外に配置される。この結果、本発明によれば、挿入された記録媒体が磁気ヘッドのヘッド部に接触することがなく、信頼性の高い記録再生装置を提供することができる。すなわち、本発明によれば、簡単な構成で、品質の安定した記録再生装置を実現することが可能となる。
【発明を実施するための最良の形態】
【００２３】
本発明に係る記録再生装置の好適な実施の形態を添付の図面を参照しつつ説明する。以下の説明において、記録再生装置としてミニディスクポータブルプレーヤを用いて説明する。
【００２４】
《実施の形態１》
以下、本発明に係る実施の形態１の記録再生装置であるミニディスクポータブルプレーヤを図１から図１１を用いて説明する。
【００２５】
図１は本発明に係る実施の形態１のミニディスクポータブルプレーヤの構成を示す分解斜視図であり、図２は主要な構成部品であるホルダー、シャーシ、磁気ヘッド及び外装蓋を示す斜視図である。図３は図２に示した構成部品の一部を拡大して示した拡大図である。図４から図１１は、実施の形態１のミニディスクポータブルプレーヤに装着される記録媒体であるミニディスク（以下、ＭＤと略称）の挿脱動作を説明する図である。
【００２６】
図１に示すＭＤ１は、前述の図１２に示したＭＤ１と同じものである。すなわち、音楽情報等が記録され得るディスクがミニディスクケース（以下、ＭＤケースと略称）内に収納されて、ＭＤ１は構成されている。
実施の形態１の記録再生装置において、ミニディスクポータブルプレーヤに挿入されたＭＤ１は保持手段であるホルダー３により保持される。ホルダー３の材質はステンレスなどのバネ性を有する金属で構成されている。ホルダー３の側面部には、ＭＤ１のシャッター１ａを開く機能を有するイジェクトロッド１６が設けられている。ホルダー３の下部にはシャーシ８が配設されている。シャーシ８にはＭＤケース内のディスク２を回転させるスピンドルモータ９と、回転したディスク２から情報を読み取るレンズ７ａを有する光ピックアップ７と、光ピックアップ７をディスク２のトラック方向に移動させる駆動機構２３とを備えている。光ピックアップ７の後部（ＭＤ１の挿入方向における後方側）には、ディスク２に情報を記録するための磁気ヘッド６が配置されており、磁気ヘッド６は止めビス２１によりヘッドアングル１９に固定されている。磁気ヘッド６は、その先端部にディスク２の表面に接触して記録するヘッド部６ａと、ヘッド部６ａをディスク２に適正な圧力をかけて安定させる弾性体により形成されたサスペンション６ｂとを有している。
ホルダー３に設けられた磁気ヘッド昇降駆動機構１８は、シャーシ８の裏面に配設された回路基板１０からフレキシブル配線基板１７を経由して電流が流れ、磁気ヘッド６を昇降駆動するよう構成されている。
【００２７】
図２に示すように、磁気ヘッド６のサスペンション６ｂの下に高さ位置制御手段であるリフタ４が設けられている。高さ位置制御手段であるリフタ４の両端はホルダー３に形成された支軸部３ｂにより回動可能な状態で支持されている。また、リフタ４の上面に形成された係合部４ｃとホルダー３の板バネ３ｃとが係合し、リフタ４は板バネ３ｃにより図２の下方向へ押圧されている。実施の形態１において、板バネ３ｃが第１の弾性体である。
【００２８】
さらに、磁気ヘッド昇降駆動機構１８の一部である駆動アーム２４は、ホルダー３の軸３ａを中心に回動可能に構成されている。そして、駆動アーム２４の一端にリブ２４ａが設けられ、駆動アーム２４の回動によりリブ２４ａがリフタ４のカム面４ａと係合してリフタ４を回動するよう構成されている。このため、駆動アーム２４の回動により、リフタ４はホルダー３の支軸３ｂを中心に回動して、リフタ４のリフト面４ｂと磁気ヘッド６のサスペンション６ｂが当接し、磁気ヘッド６を持ち上げる。
【００２９】
シャーシ８の下部には、回路基板１０が配置され複数の止めビス２２によりシャーシ８に固定されている。シャーシ８及び回路基板１０は、底ケース１１により覆われており、その底ケース１１の前面部分にはオープン釦２０が設けられている。オープン釦２０は、底ケース１１とともに筐体を構成する開閉する蓋部である外装蓋５に対して開動作を行う。外装蓋５の内側には規制手段である凸部５ａが形成されている。なお、この凸部５ａの先端は、後述する第２の弾性体であるＵＰバネ３ｄの当て面３ｅに当接可能な位置に形成されている。
【００３０】
また、ホルダー３の側面部分にはリンクフレーム１５が設けられている。リンクフレーム１５の孔１５ａとリンク１４の軸１４ａとが係合しており、孔１５ａを中心にリンク１４が回動可能な状態で保持されている。外装蓋５と底ケース１１が閉じた状態において、外装蓋５の内部に配置されるホルダー３の側面部分に対向して、操作基板アングル１２が外装蓋５に固定されており、その操作基板アングル１２の側面にはスライダー１３が保持されている。また、スライダー１３の孔１３ａは、リンク１４の軸１４ｂと係合し、この孔１３ａを中心にリンク１４が回動可能な状態で保持されている。
【００３１】
実施の形態１の記録再生装置であるミニディスクポータブルプレーヤにおいて、ホルダー３には第２の弾性体であるＵＰバネ３ｄが形成されており、リフタ４の下面にはＵＰバネ３ｄと係合可能な押圧面４ｄが形成されている。したがって、リフタ４の押圧面４ｄにＵＰバネ３ｄが係合しているとき、リフタ４は下方へ押圧されている。なお、リフタ４には、従来例においては存在したイジェクトロッドと当接するガイド部１１１ｄに相当する箇所は形成されていない。これは、実施の形態１の構成においては、リフタ４の回動が可能であるためである。ホルダー３のＵＰバネ３ｄの一部には上方向きの平面である当接面３ｅが形成されている。外装蓋５の内側には、内側へ突出した規制手段である凸部５ａが設けられており、ホルダー３の当接面３ｅと当接可能に構成されている。
【００３２】
以上のように構成された実施の形態１の記録再生装置の動作を図４から図１１を用いて以下説明する。図４及び図５は外装蓋５が完全に開いたとき状態を示す断面図である。主要な構成要素を説明するため、図４及び図５においては異なる部品を示し、一部の構成は省略している。
【００３３】
図４及び図５に示すように外装蓋５が開いているときの状態においては、ホルダー３の開き角度は、前述の従来の記録再生装置と同じとなるよう構成されている。ＵＰバネ３ｄはリフタ４の下面である押圧面４ｄを押し上げることにより、リフタ４をホルダー３の支軸部３ｂを中心に回動してリフタ４のリフト面４ｂを上方へ押し上げている。このとき、ＵＰバネ３ｄと外装蓋５の凸部５ａとは離間しているため、凸部５ａの規制を受けずにＵＰバネ３ｄの弾性機能が発揮されている。
【００３４】
図５に示すように、リフタ４の回動により、磁気ヘッド６のサスペンション６ｂはリフタ４のリフト面４ｂにより持ち上げられているので、ヘッド部６ａも持ち上った状態である。このときのヘッド部６ａの高さは、ヘッド部６ａがＭＤ１の挿入経路領域（図５において矢印Ｚで示す挿入方向の経路領域）に侵入しない位置であり、この位置までヘッド部６ａが持ち上げられている。図５に示す位置を磁気ヘッド１０６のポジションＣとする。
【００３５】
実施の形態１の記録再生装置においては、外装蓋５が開いている状態の間は、その開角度が僅かであっても、ＵＰバネ３ｄがリフタ４を回動して磁気ヘッド６を持ち上げているため、磁気ヘッド６は図４及び図５に示す状態と同じになり、磁気ヘッド６はポジションＣに確実に配置される。
【００３６】
次に、外装蓋５が閉まっている状態、あるいは外装蓋５を閉めたときの動作を図６から図１１を用いて説明する。
図６及び図７は、実施の形態１の記録再生装置においてＭＤ１が装着された状態を示しており、ＭＤケースのシャッター１ａが開方向へ移動し、磁気ヘッド６のヘッド部６ａがディスク２に接触している場合を示す断面図である。すなわち、図６及び図７は、磁気ヘッド６によりディスク１に記録可能な状態を示している。このように、磁気ヘッド６による記録可能な状態の位置をポジションＢとする。図６及び図７においては、同じ状態を示しているが説明の都合上、それぞれの図において必要な構成要素を表し、一部の構成を省略している。図８は図６の部分拡大図であり、図９は図７の部分拡大図である。
【００３７】
図６及び図８に示すように、外装蓋５が閉まっている状態において、外装蓋５の凸部５ａはホルダー３のＵＰバネ３ｄの当接面３ｅに当接して、ＵＰバネ３ｄを押し下げている。このため、ＵＰバネ３ｄの先端３ｇはリフタ４の押圧面４ｄと離間状態となる。リフタ４はホルダー３の板バネ３ｃにより常に下方向に付勢されている。このとき、駆動アーム２４のリブ２４ａがリフタ４のカム面４ａに係合しているため、リフタ４は図８に示すようにポジションＢの位置となる。ここで、ポジションＢの位置とは記録動作時の磁気ヘッド６の位置であり、リフタ４の押圧面４ｄとホルダー３のＵＰバネ３ｄの先端３ｇとの間には、寸法Ｐ２の透間（図８参照）を有する位置である。一方、図９に示すように、リフタ４のリフト面４ｂと磁気ヘッド６のサスペンション６ｂとの間には、寸法Ｐ１の透間ができている。したがって、外装蓋５が閉まっている状態において、磁気ヘッド６のサスペンション６ｂはリフタ４と接触することがなく、磁気ヘッド６はディスク２に確実に接触して記録することができる。
【００３８】
図１０及び図１１は、実施の形態１の記録再生装置においてＭＤ１が装着された状態を示しており、ＭＤケースのシャッター１ａが開方向へ移動し、磁気ヘッド６のヘッド部６ａがディスク２から開離している場合を示す断面図である。すなわち、図１０及び図１１に示す状態においては、記録再生装置であるミニディスクポータブルプレーヤがディスクを再生しているときの状態である。このように記録再生装置の再生状態における磁気ヘッド６の位置をポジションＡとする。
【００３９】
記録再生装置の再生状態において、外装蓋５の凸部５ａはホルダー３のＵＰバネ３ｄの当て面３ｅに当接して、ＵＰバネ３ｄを押し下げているので、ＵＰバネ３ｄの先端３ｇは、リフタ４の押圧面４ｄと離間している。この状態は、図６及び図８と同じである。このとき、磁気ヘッド昇降駆動機構１８からの駆動力により、駆動アーム２４が回動して駆動アーム２４のリブ２４ａがリフタ４のカム面４ａを押し上げている。この結果、リフタ４はホルダー３の支軸部３ｂを中心に回動するため、図１０に示すように、ＵＰバネ３ｄとリフタ４の押圧面４ｄとの間には寸法Ｐ３の透間ができる。そして、このときのリフタ４の位置においては、図１１に示すように、リフタ４のリフト面４ｂが磁気ヘッド６のサスペンション６ｂを持ち上げるため、ヘッド部６ａとディスク２との間には寸法Ｐ４の透間が確実に形成される。
【００４０】
以上のように、実施の形態１の記録再生装置においては、外装蓋５に凸部５ａ、ホルダー３にＵＰバネ３ｄと当て面３ｅ、リフタ４にＵＰバネ３ｄと係合する押圧面４ｄを形成するだけで、外装蓋５が閉じているとき、磁気ヘッド６はポジションＡまたはＢに移行し、外装蓋５が開くと、どの開角度であっても、磁気ヘッド６はポジションＣに移行するよう構成されている。このため、実施の形態１の記録再生装置においては、外装蓋５が開状態であれば、どのような状態であっても、ＭＤ１がホルダー３に挿入されたとき、ＭＤケースが磁気ヘッド６のヘッド部６ａに接触することがない。したがって、実施の形態１の記録再生装置においては、簡単な構成で、品質の安定した記録再生装置を提供することができる。
【００４１】
なお、実施の形態１においては、ホルダー３の一部を変形してＵＰバネ３ｄを形成した例で説明したが、ＵＰバネを別部材で形成しても同様な効果を得ることができる。また、実施の形態１においては、ＵＰバネ３ｄを設けて外装蓋５が開いているとき、常に磁気ヘッドを持ち上げる構成であるため、従来の装置において必要であった磁気ヘッドと外装蓋とのリンク機構の一部が不要となり構成が簡単となる。
【００４２】
また、本発明の記録再生装置は、上記の実施の形態の例に限定されるものではなく、ミニディスクポータブルプレーヤにおいて図６及び図７に示した状態において、録音だけでなく、再生可能に構成しても同様な効果を得られる。すなわち、磁気ヘッドの位置がポジションＡ（再生位置）をとらない記録再生装置においても、同様な効果を得ることができる。
さらに、本発明の記録再生装置は、光磁気ディスク装置  、磁気ディスク装置などの磁気ヘッドを用いた装置に適用でき、ディスクがカードリッジに収納されたタイプに限定されるものではない。
【産業上の利用可能性】
【００４３】
本発明にかかる記録再生装置は、ディスクを収納したカートリッジと磁気ヘッドとの干渉回避だけでなく、カートリッジのないディスクだけのメディアの場合でも磁気ヘッドとの干渉回避を確実に達成することができるため、この分野においては汎用性が高く有用な発明である。
【図面の簡単な説明】
【００４４】
【図１】本発明に係る実施の形態１の記録再生装置の構成を示す分解斜視図
【図２】本発明に係る実施の形態１の記録再生装置における主要な構成部品の斜視図
【図３】本発明に係る実施の形態１の記録再生装置における主要な構成部品の拡大図
【図４】本発明に係る実施の形態１の記録再生装置における蓋部開放時の状態を示す断面図
【図５】本発明に係る実施の形態１の記録再生装置における蓋部開放時の状態を示す断面図
【図６】本発明に係る実施の形態１の記録再生装置における蓋部閉鎖時の状態を示す断面図
【図７】本発明に係る実施の形態１の記録再生装置における蓋部閉鎖時の状態を示す断面図
【図８】本発明に係る実施の形態１の蓋部閉鎖時における記録時の状態を示す断面図
【図９】本発明に係る実施の形態１の蓋部閉鎖時における記録時の状態を示す断面図
【図１０】本発明に係る実施の形態１の蓋部閉鎖時における再生時の状態を示す断面図
【図１１】本発明に係る実施の形態１の蓋部閉鎖時における再生時の状態を示す断面図
【図１２】従来の記録再生装置の構成を示す分解斜視図
【図１３】従来の記録再生装置における主要部分を示す斜視図
【図１４】従来の記録再生装置の動作を説明する断面図
【図１５】従来の記録再生装置の動作を説明する断面図
【図１６】従来の記録再生装置の動作を説明する断面図
【図１７】従来の記録再生装置の動作を説明する断面図
【符号の説明】
【００４５】
１  ＭＤ
２  ディスク
３  ホルダー
３ｃ  板バネ
３ｄ  ＵＰバネ
３ｅ  当て面
４  リフタ
４ａ  カム面
４ｂ  リフト面
４ｃ  係合面
４ｄ  押圧面
５  外装蓋
５ａ  凸部
６  磁気ヘッド
６ａ  ヘッド部
６ｂ  サスペンション
７  光ピックアップ
８  シャーシ
９  スピンドルモータ
１０  回路基板
１１  底ケース
１２  操作基板アングル
１３  スライダー
１４  リンク
１５  リンクフレーム
１６  イジェクトロッド
１７  配線基板
１８  昇降駆動機構
１９  ヘッドアングル
２０  オープン釦
２１  ビス
２２  止めビス
２３  駆動機構
２４  駆動アーム
【図１】
2006040327.tif 000003
【図２】
2006040327.tif 000004
【図３】
2006040327.tif 000005
【図４】
2006040327.tif 000006
【図５】
2006040327.tif 000007
【図６】
2006040327.tif 000008
【図７】
2006040327.tif 000009
【図８】
2006040327.tif 000010
【図９】
2006040327.tif 000011
【図１０】
2006040327.tif 000012
【図１１】
2006040327.tif 000013
【図１２】
2006040327.tif 000014
【図１３】
2006040327.tif 000015
【図１４】
2006040327.tif 000016
【図１５】
2006040327.tif 000017
【図１６】
2006040327.tif 000018
【図１７】
2006040327.tif 000019